【手続補正書】
【提出日】平成17年4月19日(2005.4.19)
【手続補正１】
【補正対象書類名】明細書
【補正対象項目名】発明の名称
【補正方法】変更
【補正の内容】
【発明の名称】表示装置およびそれを用いた電子機器
【手続補正２】
【補正対象書類名】明細書
【補正対象項目名】特許請求の範囲
【補正方法】変更
【補正の内容】
【特許請求の範囲】
【請求項１】
発光素子を含む画素部を有する表示パネルと、
周囲の温度を検出するセンサと、
前記発光素子の電圧電流特性の温度特性を記憶する回路と、
前記センサの出力と前記温度特性を用いて補正データを作成する回路と、
前記補正データを用いて映像信号を補正し、かつ補正された前記映像信号を前記表示パネルに供給する回路とを有することを特徴とする表示装置。
【請求項２】
発光素子を含む画素部を有する表示パネルと、
周囲の温度を検出するセンサと、
前記発光素子の電圧電流特性の温度特性を記憶する第１の記憶回路と、
映像信号を用いて前記画素の点灯時間を検出するカウンタと、
前記発光素子の経時変化のデータを記憶し、かつ前記カウンタの出力を用いて前記画素の累積点灯時間を検出する第２の記憶回路と、
前記センサの出力、前記温度特性、前記経時変化のデータ及び前記画素の累積点灯時間を用いて補正データを作成する回路と、
前記補正データを用いて前記映像信号を補正し、かつ補正された前記映像信号を前記表示パネルに供給する回路とを有することを特徴とする表示装置。
【請求項３】
発光素子を含む画素部と、
周囲の温度を検出するセンサと、
前記発光素子の電圧電流特性の温度特性を記憶する回路と、
前記センサの出力と前記温度特性を用いて補正データを作成する回路と、
前記補正データを用いて電源電位を補正し、かつ補正された前記電源電位を前記画素部に供給する電源回路とを有することを特徴とする表示装置。
【請求項４】
発光素子を含む画素部と、
周囲の温度を検出するセンサと、
前記発光素子の電圧電流特性の温度特性を記憶する第１の記憶回路と、
映像信号を用いて前記画素の点灯時間を検出するカウンタと、
前記発光素子の経時変化のデータを記憶し、かつ前記カウンタの出力を用いて前記画素の累積点灯時間を検出する第２の記憶回路と、
前記センサの出力、前記温度特性、前記経時変化のデータ及び前記画素の累積点灯時間を用いて補正データを作成する回路と、
前記補正データを用いて電源電位を補正し、かつ補正された前記電源電位を前記画素部に供給する電源回路とを有することを特徴とする表示装置。
【請求項５】
第１の発光素子を含む画素部を有する表示パネルと、
周囲の温度を検出するセンサと、
前記第１の発光素子の電圧電流特性の温度特性を記憶する回路と、
前記センサの出力と前記温度特性を用いて補正データを作成する回路と、
前記補正データを用いて映像信号を補正し、かつ補正された前記映像信号を前記表示パネルに供給する回路とを有し、
前記センサは、第２の発光素子と、前記第２の発光素子に一定の電流を供給する定電流源を有することを特徴とする表示装置。
【請求項６】
第１の発光素子を含む画素部を有する表示パネルと、
周囲の温度を検出するセンサと、
前記第１の発光素子の電圧電流特性の温度特性を記憶する第１の記憶回路と、
映像信号を用いて前記画素の点灯時間を検出するカウンタと、
前記第１の発光素子の経時変化のデータを記憶し、かつ前記カウンタの出力を用いて前記画素の累積点灯時間を検出する第２の記憶回路と、
前記センサの出力、前記温度特性、前記経時変化のデータ及び前記画素の累積点灯時間を用いて補正データを作成する回路と、
前記補正データを用いて前記映像信号を補正し、かつ補正された前記映像信号を前記表示パネルに供給する回路とを有し、
前記センサは、第２の発光素子と、前記第２の発光素子に一定の電流を供給する定電流源を有することを特徴とする表示装置。
【請求項７】
第１の発光素子を含む画素部と、
周囲の温度を検出するセンサと、
前記第１の発光素子の電圧電流特性の温度特性を記憶する回路と、
前記センサの出力と前記温度特性を用いて補正データを作成する回路と、
前記補正データを用いて電源電位を補正し、かつ補正された前記電源電位を前記画素部に供給する電源回路とを有し、
前記センサは、第２の発光素子と、前記第２の発光素子に一定の電流を供給する定電流源を有することを特徴とする表示装置。
【請求項８】
第１の発光素子を含む画素部と、
周囲の温度を検出するセンサと、
前記第１の発光素子の電圧電流特性の温度特性を記憶する第１の記憶回路と、
映像信号を用いて前記画素の点灯時間を検出するカウンタと、
前記第１の発光素子の経時変化のデータを記憶し、かつ前記カウンタの出力を用いて前記画素の累積点灯時間を検出する第２の記憶回路と、
前記センサの出力、前記温度特性、前記経時変化のデータ及び前記画素の累積点灯時間を用いて補正データを作成する回路と、
前記補正データを用いて電源電位を補正し、かつ補正された前記電源電位を前記画素部に供給する電源回路とを有し、
前記センサは、第２の発光素子と、前記第２の発光素子に一定の電流を供給する定電流源を有することを特徴とする表示装置。
【請求項９】
請求項１又は請求項２において、
前記画素部は、複数の画素を有し、
前記複数の画素の各々は、前記発光素子、第１のトランジスタ及び第２のトランジスタを有し、
前記第１のトランジスタのゲート電極は走査線に接続され、ソース電極とドレイン電極の一方は信号線に接続され、ソース電極とドレイン電極の他方は前記第２のトランジスタのゲート電極に接続され、
前記第２のトランジスタのソース電極とドレイン電極の一方は前記発光素子の一方の電極に接続され、ソース電極とドレイン電極の他方は第１の電源線に接続され、
前記発光素子の他方の電極は第２の電源線に接続されていることを特徴とする表示装置。
【請求項１０】
請求項１又は請求項２において、
前記画素部は、複数の画素を有し、
前記複数の画素の各々は、前記発光素子、第１のトランジスタ、第２のトランジスタ及び前記第２のトランジスタのゲート電極とソース電極の間の電圧を保持する容量素子を有し、
前記第１のトランジスタのゲート電極は走査線に接続され、ソース電極とドレイン電極の一方は信号線に接続され、ソース電極とドレイン電極の他方は前記第２のトランジスタのゲート電極に接続され、
前記第２のトランジスタのソース電極とドレイン電極の一方は前記発光素子の一方の電極に接続され、ソース電極とドレイン電極の他方は第１の電源線に接続され、
前記発光素子の他方の電極は第２の電源線に接続されていることを特徴とする表示装置。
【請求項１１】
請求項１又は請求項２において、
前記画素部は、複数の画素を有し、
前記複数の画素の各々は、前記発光素子、第１のトランジスタ、第２のトランジスタ及び第３のトランジスタを有し、
前記第１のトランジスタのゲート電極は第１の走査線に接続され、ソース電極とドレイン電極の一方は信号線に接続され、ソース電極とドレイン電極の他方は前記第２のトランジスタのゲート電極と前記第３のトランジスタのソース電極とドレイン電極の一方に接続され、
前記第２のトランジスタのソース電極とドレイン電極の一方は前記発光素子の一方の電極に接続され、ソース電極とドレイン電極の他方は第１の電源線に接続され、
前記発光素子の他方の電極は第２の電源線に接続され、
前記第３のトランジスタのゲート電極は第２の走査線に接続され、前記第３のトランジスタのソース電極とドレイン電極の他方は前記第１の電源線に接続されていることを特徴とする表示装置。
【請求項１２】
請求項１又は請求項２において、
前記画素部は、複数の画素を有し、
前記複数の画素の各々は、前記発光素子、第１のトランジスタ、第２のトランジスタ、第３のトランジスタ及び前記第２のトランジスタのゲート電極とソース電極の間の電圧を保持する容量素子を有し、
前記第１のトランジスタのゲート電極は第１の走査線に接続され、ソース電極とドレイン電極の一方は信号線に接続され、ソース電極とドレイン電極の他方は前記第２のトランジスタのゲート電極と前記第３のトランジスタのソース電極とドレイン電極の一方に接続され、
前記第２のトランジスタのソース電極とドレイン電極の一方は前記発光素子の一方の電極に接続され、ソース電極とドレイン電極の他方は第１の電源線に接続され、
前記発光素子の他方の電極は第２の電源線に接続され、
前記第３のトランジスタのゲート電極は第２の走査線に接続され、前記第３のトランジスタのソース電極とドレイン電極の他方は前記第１の電源線に接続されていることを特徴とする表示装置。
【請求項１３】
請求項３又は請求項４において、
前記画素部は、複数の画素を有し、
前記複数の画素の各々は、前記発光素子、第１のトランジスタ及び第２のトランジスタを有し、
前記第１のトランジスタのゲート電極は走査線に接続され、ソース電極とドレイン電極の一方は信号線に接続され、ソース電極とドレイン電極の他方は前記第２のトランジスタのゲート電極に接続され、
前記第２のトランジスタのソース電極とドレイン電極の一方は前記発光素子の一方の電極に接続され、ソース電極とドレイン電極の他方は第１の電源線に接続され、
前記発光素子の他方の電極は第２の電源線に接続されていることを特徴とする表示装置。
【請求項１４】
請求項３又は請求項４において、
前記画素部は、複数の画素を有し、
前記複数の画素の各々は、前記発光素子、第１のトランジスタ、第２のトランジスタ及び前記第２のトランジスタのゲート電極とソース電極の間の電圧を保持する容量素子を有し、
前記第１のトランジスタのゲート電極は走査線に接続され、ソース電極とドレイン電極の一方は信号線に接続され、ソース電極とドレイン電極の他方は前記第２のトランジスタのゲート電極に接続され、
前記第２のトランジスタのソース電極とドレイン電極の一方は前記発光素子の一方の電極に接続され、ソース電極とドレイン電極の他方は第１の電源線に接続され、
前記発光素子の他方の電極は第２の電源線に接続されていることを特徴とする表示装置。
【請求項１５】
請求項３又は請求項４において、
前記画素部は、複数の画素を有し、
前記複数の画素の各々は、前記発光素子、第１のトランジスタ、第２のトランジスタ及び第３のトランジスタを有し、
前記第１のトランジスタのゲート電極は第１の走査線に接続され、ソース電極とドレイン電極の一方は信号線に接続され、ソース電極とドレイン電極の他方は前記第２のトランジスタのゲート電極と前記第３のトランジスタのソース電極とドレイン電極の一方に接続され、
前記第２のトランジスタのソース電極とドレイン電極の一方は前記発光素子の一方の電極に接続され、ソース電極とドレイン電極の他方は第１の電源線に接続され、
前記発光素子の他方の電極は第２の電源線に接続され、
前記第３のトランジスタのゲート電極は第２の走査線に接続され、前記第３のトランジスタのソース電極とドレイン電極の他方は前記第１の電源線に接続されていることを特徴とする表示装置。
【請求項１６】
請求項３又は請求項４において、
前記画素部は、複数の画素を有し、
前記複数の画素の各々は、前記発光素子、第１のトランジスタ、第２のトランジスタ、第３のトランジスタ及び前記第２のトランジスタのゲート電極とソース電極の間の電圧を保持する容量素子を有し、
前記第１のトランジスタのゲート電極は第１の走査線に接続され、ソース電極とドレイン電極の一方は信号線に接続され、ソース電極とドレイン電極の他方は前記第２のトランジスタのゲート電極と前記第３のトランジスタのソース電極とドレイン電極の一方に接続され、
前記第２のトランジスタのソース電極とドレイン電極の一方は前記発光素子の一方の電極に接続され、ソース電極とドレイン電極の他方は第１の電源線に接続され、
前記発光素子の他方の電極は第２の電源線に接続され、
前記第３のトランジスタのゲート電極は第２の走査線に接続され、前記第３のトランジスタのソース電極とドレイン電極の他方は前記第１の電源線に接続されていることを特徴とする表示装置。
【請求項１７】
請求項５又は請求項６において、
前記画素部は、複数の画素を有し、
前記複数の画素の各々は、前記第１の発光素子、第１のトランジスタ及び第２のトランジスタを有し、
前記第１のトランジスタのゲート電極は走査線に接続され、ソース電極とドレイン電極の一方は信号線に接続され、ソース電極とドレイン電極の他方は前記第２のトランジスタのゲート電極に接続され、
前記第２のトランジスタのソース電極とドレイン電極の一方は前記第１の発光素子の一方の電極に接続され、ソース電極とドレイン電極の他方は第１の電源線に接続され、
前記第１の発光素子の他方の電極は第２の電源線に接続されていることを特徴とする表示装置。
【請求項１８】
請求項５又は請求項６において、
前記画素部は、複数の画素を有し、
前記複数の画素の各々は、前記第１の発光素子、第１のトランジスタ、第２のトランジスタ及び前記第２のトランジスタのゲート電極とソース電極の間の電圧を保持する容量素子を有し、
前記第１のトランジスタのゲート電極は走査線に接続され、ソース電極とドレイン電極の一方は信号線に接続され、ソース電極とドレイン電極の他方は前記第２のトランジスタのゲート電極に接続され、
前記第２のトランジスタのソース電極とドレイン電極の一方は前記第１の発光素子の一方の電極に接続され、ソース電極とドレイン電極の他方は第１の電源線に接続され、
前記第１の発光素子の他方の電極は第２の電源線に接続されていることを特徴とする表示装置。
【請求項１９】
請求項５又は請求項６において、
前記画素部は、複数の画素を有し、
前記複数の画素の各々は、前記第１の発光素子、第１のトランジスタ、第２のトランジスタ及び第３のトランジスタを有し、
前記第１のトランジスタのゲート電極は第１の走査線に接続され、ソース電極とドレイン電極の一方は信号線に接続され、ソース電極とドレイン電極の他方は前記第２のトランジスタのゲート電極と前記第３のトランジスタのソース電極とドレイン電極の一方に接続され、
前記第２のトランジスタのソース電極とドレイン電極の一方は前記第１の発光素子の一方の電極に接続され、ソース電極とドレイン電極の他方は第１の電源線に接続され、
前記第１の発光素子の他方の電極は第２の電源線に接続され、
前記第３のトランジスタのゲート電極は第２の走査線に接続され、前記第３のトランジスタのソース電極とドレイン電極の他方は前記第１の電源線に接続されていることを特徴とする表示装置。
【請求項２０】
請求項５又は請求項６において、
前記画素部は、複数の画素を有し、
前記複数の画素の各々は、前記第１の発光素子、第１のトランジスタ、第２のトランジスタ、第３のトランジスタ及び前記第２のトランジスタのゲート電極とソース電極の間の電圧を保持する容量素子を有し、
前記第１のトランジスタのゲート電極は第１の走査線に接続され、ソース電極とドレイン電極の一方は信号線に接続され、ソース電極とドレイン電極の他方は前記第２のトランジスタのゲート電極と前記第３のトランジスタのソース電極とドレイン電極の一方に接続され、
前記第２のトランジスタのソース電極とドレイン電極の一方は前記第１の発光素子の一方の電極に接続され、ソース電極とドレイン電極の他方は第１の電源線に接続され、
前記第１の発光素子の他方の電極は第２の電源線に接続され、
前記第３のトランジスタのゲート電極は第２の走査線に接続され、前記第３のトランジスタのソース電極とドレイン電極の他方は前記第１の電源線に接続されていることを特徴とする表示装置。
【請求項２１】
請求項７又は請求項８において、
前記画素部は、複数の画素を有し、
前記複数の画素の各々は、前記第１の発光素子、第１のトランジスタ及び第２のトランジスタを有し、
前記第１のトランジスタのゲート電極は走査線に接続され、ソース電極とドレイン電極の一方は信号線に接続され、ソース電極とドレイン電極の他方は前記第２のトランジスタのゲート電極に接続され、
前記第２のトランジスタのソース電極とドレイン電極の一方は前記第１の発光素子の一方の電極に接続され、ソース電極とドレイン電極の他方は第１の電源線に接続され、
前記第１の発光素子の他方の電極は第２の電源線に接続されていることを特徴とする表示装置。
【請求項２２】
請求項７又は請求項８において、
前記画素部は、複数の画素を有し、
前記複数の画素の各々は、前記第１の発光素子、第１のトランジスタ、第２のトランジスタ及び前記第２のトランジスタのゲート電極とソース電極の間の電圧を保持する容量素子を有し、
前記第１のトランジスタのゲート電極は走査線に接続され、ソース電極とドレイン電極の一方は信号線に接続され、ソース電極とドレイン電極の他方は前記第２のトランジスタのゲート電極に接続され、
前記第２のトランジスタのソース電極とドレイン電極の一方は前記第１の発光素子の一方の電極に接続され、ソース電極とドレイン電極の他方は第１の電源線に接続され、
前記第１の発光素子の他方の電極は第２の電源線に接続されていることを特徴とする表示装置。
【請求項２３】
請求項７又は請求項８において、
前記画素部は、複数の画素を有し、
前記複数の画素の各々は、前記第１の発光素子、第１のトランジスタ、第２のトランジスタ及び第３のトランジスタを有し、
前記第１のトランジスタのゲート電極は第１の走査線に接続され、ソース電極とドレイン電極の一方は信号線に接続され、ソース電極とドレイン電極の他方は前記第２のトランジスタのゲート電極と前記第３のトランジスタのソース電極とドレイン電極の一方に接続され、
前記第２のトランジスタのソース電極とドレイン電極の一方は前記第１の発光素子の一方の電極に接続され、ソース電極とドレイン電極の他方は第１の電源線に接続され、
前記第１の発光素子の他方の電極は第２の電源線に接続され、
前記第３のトランジスタのゲート電極は第２の走査線に接続され、前記第３のトランジスタのソース電極とドレイン電極の他方は前記第１の電源線に接続されていることを特徴とする表示装置。
【請求項２４】
請求項７又は請求項８において、
前記画素部は、複数の画素を有し、
前記複数の画素の各々は、前記第１の発光素子、第１のトランジスタ、第２のトランジスタ、第３のトランジスタ及び前記第２のトランジスタのゲート電極とソース電極の間の電圧を保持する容量素子を有し、
前記第１のトランジスタのゲート電極は第１の走査線に接続され、ソース電極とドレイン電極の一方は信号線に接続され、ソース電極とドレイン電極の他方は前記第２のトランジスタのゲート電極と前記第３のトランジスタのソース電極とドレイン電極の一方に接続され、
前記第２のトランジスタのソース電極とドレイン電極の一方は前記第１の発光素子の一方の電極に接続され、ソース電極とドレイン電極の他方は第１の電源線に接続され、
前記第１の発光素子の他方の電極は第２の電源線に接続され、
前記第３のトランジスタのゲート電極は第２の走査線に接続され、前記第３のトランジスタのソース電極とドレイン電極の他方は前記第１の電源線に接続されていることを特徴とする表示装置。
【請求項２５】
請求項１乃至請求項４、又は請求項９乃至請求項１６のいずれか一項において、
前記発光素子は、有機発光ダイオードであることを特徴とする表示装置。
【請求項２６】
請求項５乃至請求項８、又は請求項１７乃至請求項２４のいずれか一項において、
前記第１の発光素子と前記第２の発光素子の各々は、有機発光ダイオードであることを特徴とする表示装置。
【請求項２７】
請求項５乃至請求項８、又は請求項１７乃至請求項２４のいずれか一項において、
前記第１の発光素子と前記第２の発光素子は、同一の絶縁表面上に設けられていることを特徴とする表示装置。
【請求項２８】
請求項１３乃至請求項１６、又は請求項２１乃至請求項２４のいずれか１項において、
前記電源回路は、前記第１の電源線と前記第２の電源線の一方又は両方に接続されていることを特徴とする表示装置。
【請求項２９】
請求項１乃至請求項２８のいずれか１項に記載の前記表示装置を用いた電子機器。
【手続補正３】
【補正対象書類名】明細書
【補正対象項目名】００３１
【補正方法】変更
【補正の内容】
【００３１】
このようにして、環境温度に応じた電位に補正した電源２２を画素部１９における電源として用いることで、温度変化に起因した電流値の変動を緩和させることができる。なお上記構成を有する表示装置には、定電圧駆動のみを適用することができる。
【手続補正４】
【補正対象書類名】明細書
【補正対象項目名】００５１
【補正方法】変更
【補正の内容】
【００５１】
例えば、温度がｂの段階になったとすると、各画素に入力される映像信号には常に２を加えて、２階調分明るくした信号に補正される。同様に、図５（Ｃ）に示すように、ｅの段階になったとすると、各画素の信号線に供給される映像信号には常に−２を加えて、２階調分暗くした信号に補正される。
【手続補正５】
【補正対象書類名】明細書
【補正対象項目名】００５３
【補正方法】変更
【補正の内容】
【００５３】
例えば、温度がｂの段階になったとすると、電源電位に+Ｂを加算して、電流値を増加させる。同様に、図５（Ｄ）に示すように、ｄの段階になったとすると、電源線の電位Vddに-Ｄの値を加算して、電流値を減少させる。